(57)【要約】【課題】  従来のスピーカ装置は、スピーカカバーのスピーカ又は筐体への取り付け状態が一義的であるため、音の報音形態もまた一義的に定まってしまう。【解決手段】  本発明のスピーカ装置は、スピーカ４を備えた筐体３と、前記スピーカ４の音出力面に対向する位置で前記筐体３に対して着脱可能に設けられたスピーカカバー２と、を有し、前記スピーカカバー２は、前記筐体３に対して複数の異なる取り付け状態での取り付けを可能とする取付部と、前記複数の各取り付け状態に対応して前記スピーカ４から出力される音の報音形態をそれぞれ異ならせる報音形態変更部と、を有することを特徴とする。【選択図】図３
2008113062.tif 000002
【特許請求の範囲】
【請求項１】
スピーカを備えた筐体と、
前記スピーカの音出力面に対向する位置で前記筐体に対して着脱可能に設けられたスピーカカバーと、を有し、
前記スピーカカバーは、前記筐体に対して複数の異なる取り付け状態での取り付けを可能とする取付部と、前記複数の各取り付け状態に対応して前記スピーカから出力される音の報音形態をそれぞれ異ならせる報音形態変更部と、を有することを特徴とするスピーカ装置。
【請求項２】
前記筐体と前記スピーカカバーの少なくとも一方は磁石を備え、
該磁石との間で引き付け合う磁力により前記スピーカカバーを前記筐体に対して取り付けるように構成したことを特徴とする請求項１に記載のスピーカ装置。
【請求項３】
音響信号を出力可能な音響信号制御部と、前記音響信号に基づいて音を出力する音出力部と、前記音響信号を外部に出力する外部接続部と、を有する携帯電子機器を装着可能な機器装着部と、
前記携帯電子機器が前記機器装着部に装着された状態において前記外部接続部と接続され、前記音響信号制御部により出力される音響信号を前記スピーカに出力するための電気的接続部と、をさらに有し、  
前記報音形態変更部は、前記複数の異なる取り付け状態のうち第１の取り付け状態での前記スピーカからの音の出力方向が、前記携帯電子機器が前記機器装着部に装着された状態での前記音出力部の音出力方向と同一の方向になるよう構成してあることを特徴とする請求項１又は請求項２に記載のスピーカ装置。
【請求項４】
前記報音形態変更部は、前記複数の異なる取り付け状態のうち第２の取り付け状態で、前記携帯電子機器が前記機器装着部に装着された状態での前記音出力部の音出力方向と異なる方向になるよう構成してあることを特徴とする請求項３に記載のスピーカ装置。
【請求項５】
前記音響信号は複数チャンネルの音響信号で構成され、
前記スピーカと前記音出力部は、それぞれ異なるチャンネルに係る前記音響信号に基づく音を出力することを特徴とする請求項３又は請求項４に記載のスピーカ装置。
【請求項６】
音響信号を出力可能な音響信号制御部と、前記音響信号に基づいて音を出力する音出力部と、前記音響信号を外部に出力する外部接続部と、を有する携帯電子機器と、
筐体と、前記筐体に設けられて音を出力するスピーカと、前記筐体に設けられて前記携帯電子機器を装着可能な機器装着部と、前記携帯電子機器が前記機器装着部に装着された状態において前記外部接続部と接続され、前記音響信号制御部により出力される音響信号を前記スピーカに出力するための電気的接続部と、前記スピーカの音出力面に対向する位置で前記筐体に対して複数の異なる取り付け状態での取り付けを可能とし、かつ前記複数の各取り付け状態で前記スピーカから出力される音の報音形態をそれぞれ異ならせる報音形態変更部を有するスピーカカバーと、を有するスピーカ装置と、
を有することを特徴とする音響装置。
【発明の詳細な説明】
【技術分野】
【０００１】
本発明は、スピーカカバーを介して音を出力可能なスピーカ装置及び音響装置に関する。
【背景技術】
【０００２】
筐体にスピーカを配置すると共に、当該スピーカを被覆してスピーカからの音を所定の方向に出力するスピーカカバーを筐体に配置するスピーカ装置が従来から知られている。図１０に、このスピーカ装置の一例におけるスピーカ１’及びスピーカカバー２’の外観斜視図を示す。
【０００３】
本図に示されるように、スピーカ１’は、音の出力面の周囲にループ形状の凹部４’を有して構成され、スピーカカバー３’は、中空の半球状に形成されるとともに複数の孔部２’を有して構成される。そして、スピーカカバー２’はその外縁部がスピーカ１’の凹部４’に嵌合されて、スピーカ1’に取り付けられる構成となっている（文献１参照）。
【特許文献１】実開平２−９５９９７号公報
【０００４】
また、上記従来技術の応用例として、スピーカカバーに形成される孔部を、スピーカの音の出力面に対して所定方向に形成し、スピーカから出力される音を、当該孔部を介して所定の方向に出力したり、音量を絞ったりするなどの報音形態を変更するというスピーカ装置が考えられる。なお、ここでいう報音形態とは、スピーカ４から出力される音が外部に出力される様子を概念的に表現したものであり、スピーカ４から外部に出力される音の方向や音量等の各要素に応じて総合的に決定される概念であるとする。
【発明の開示】
【発明が解決しようとする課題】
【０００５】
しかし、上述したスピーカ装置は、スピーカカバーのスピーカ又は筐体への取り付け状態が一義的であるため、報音形態もまた一義的に定まってしまうという課題があった。
【０００６】
そこで、本発明はスピーカカバーの取り付け状態を変更可能として、スピーカから出力される音の報音形態を変更できるスピーカ装置及びこれを用いた音響装置を提供することを目的とする。
【課題を解決するための手段】
【０００７】
本発明のスピーカ装置は、スピーカを備えた筐体と、前記スピーカの音出力面に対向する位置で前記筐体に対して着脱可能に設けられたスピーカカバーと、を有し、前記スピーカカバーは、前記筐体に対して複数の異なる取り付け状態での取り付けを可能とする取付部と、前記複数の各取り付け状態に対応して前記スピーカから出力される音の報音形態をそれぞれ異ならせる報音形態変更部と、を有することを特徴とする。
【０００８】
好適には、前記筐体と前記スピーカカバーの少なくとも一方は磁石を備え、該磁石との間で引き付け合う磁力により前記スピーカカバーを前記筐体に対して取り付けるように構成したことを特徴とする。
【０００９】
好適には、音響信号を出力可能な音響信号制御部と、前記音響信号に基づいて音を出力する音出力部と、前記音響信号を外部に出力する外部接続部と、を有する携帯電子機器を装着可能な機器装着部と、前記携帯電子機器が前記機器装着部に装着された状態において前記外部接続部と接続され、前記音響信号制御部により出力される音響信号を前記スピーカに出力するための電気的接続部と、をさらに有し、前記報音形態変更部は、前記複数の異なる取り付け状態のうち第１の取り付け状態での前記スピーカからの音の出力方向が、前記携帯電子機器が前記機器装着部に装着された状態での前記音出力部の音出力方向と同一の方向になるよう構成してあることを特徴とする。
【００１０】
好適には、前記報音形態変更部は、前記複数の異なる取り付け状態のうち第２の取り付け状態で、前記携帯電子機器が前記機器装着部に装着された状態での前記音出力部の音出力方向と異なる方向になるよう構成してあることを特徴とする。
【００１１】
好適には、前記音響信号は複数チャンネルの音響信号で構成され、前記スピーカと前記音出力部は、それぞれ異なるチャンネルに係る前記音響信号に基づく音を出力する。
【００１２】
本発明の音響装置は、音響信号を出力可能な音響信号制御部と、前記音響信号に基づいて音を出力する音出力部と、前記音響信号を外部に出力する外部接続部と、を有する携帯電子機器と、筐体と、前記筐体に設けられて音を出力するスピーカと、前記筐体に設けられて前記携帯電子機器を装着可能な機器装着部と、前記携帯電子機器が前記機器装着部に装着された状態において前記外部接続部と接続され、前記音響信号制御部により出力される音響信号を前記スピーカに出力するための電気的接続部と、前記スピーカの音出力面に対向する位置で前記筐体に対して複数の異なる取り付け状態での取り付けを可能とし、かつ前記複数の各取り付け状態で前記スピーカから出力される音の報音形態をそれぞれ異ならせる報音形態変更部を有するスピーカカバーと、を有するスピーカ装置と、を有することを特徴とする。
【発明の効果】
【００１３】
本発明のスピーカ装置及び音響装置によれば、スピーカカバーの取り付け状態を変更可能であるため、スピーカから出力される音の報音形態を変更することができ、ユーザーは好適にスピーカ音を楽しむことができる。
【発明を実施するための最良の形態】
【００１４】
本発明のスピーカ装置及び音響装置に係る実施形態について、図１乃至図６を用いて説明する。図１（ａ）および図２は、本発明のスピーカ装置の一例である携帯電話用充電器（以下、充電器）1の外観斜視図であり、図３は、図１及び図２の充電器１に備えられたスピーカカバー２の詳細図であり、図４は、スピーカカバー２を取り外した状態の充電器１の外観斜視図である。図５は、充電器１に携帯電子機器の一例である携帯電話機６が装着された外観斜視図であり、図６は、携帯電話機６と充電器１とを有して構成される音響装置の構成を示すブロック図である。なお、図１（ｂ）は、図１（ａ）のｂ−ｂ線断面図である。
【００１５】
図１（ａ）（ｂ）及び図６に示されるように、充電器１は、内部に空間を有する箱型形状の筐体３を有し、その上面３ａに、内径ｘ及び深さｐを有する円形の凹部３ｂが形成された本体部３ｆと、筐体３の前方側（図１（ｂ）中左側）に携帯電話機６を装着可能な凹状の装着部５（機器装着部）とからなる。また、外部電源から供給される電力を入力可能に構成される電力入力部７と、図示しない電気的接続構造により電力入力部７を介して外部電源からの電力を装着部５に装着された携帯電話機６に備えられたバッテリー６８に給電可能に構成される電力出力部８と、後述する携帯電話機６に備えられた外部接続部７０と接続される電気的接続構造により携帯電話機６から出力された音響信号を増幅させると共にスピーカ４に接続されるアンプ９と、を備えて構成される。
【００１６】
また、本体部３ｆに形成された凹部３ｂの段差面（底面）は、本体部３ｆの内部と外部とを連通させる直径ｙを有する円形の開口部３ｄが形成され、スピーカ４が、その音出力面を開口部３ｄから露出されるように本体部３ｆ内部に取り付けられている。
【００１７】
また、開口部３ｄに対向して凹部３ｂに挿嵌可能なスピーカカバー２が取り付けられている。さらに、底面部３ｃのうち、開口部３ｄが形成されていない部位にはマグネットシート３ｅ（磁石）が貼り付けられている。
【００１８】
スピーカカバー２は、図３に示されるように、外径ｚを有する円筒状に形成されている円筒部２ａを有し、この円筒部２ａの内部には、その内部空間を円筒軸方向に略半分に区分けする内壁部２ｂが配設されている。この内壁部２ｂは中央部が円錐状に形成されると共にその先端部には孔部２ｃが形成されている。また、この円錐の先端部が位置する側とは反対側の円筒部２ａの一端部には切り欠き高さｑを有する切欠部２ｄが複数形成されている（図３では４つ）。この切り欠き高さｑは筐体３の本体部３ｆに形成された凹部３ｂの深さｐよりも長くなるように構成されている。なお、円筒部２ａの一端部および他端部は磁石で形成されている。
【００１９】
また、スピーカカバー２の円筒部２ａの外径ｚは、筐体３に形成されている凹部３ｂの内径ｘよりも小さく、かつ、開口部３ｄの直径ｙよりも大きく形成されているため、スピーカカバー２は、切欠部２ｄが形成された円筒部２ａｂの一端部（取付部の一つ）と、切欠部２ｃが形成されていない円筒部２ａｃの他端部（取付部の一つ）とが、凹部３ｂの内部にそれぞれ挿嵌可能に構成されている。なお、各挿嵌状態においては、磁石で形成されたスピーカカバー２の円筒部２ａの一端部又は他端部と底面部３ｃに貼り付けられたマグネットシート３ｅとが、磁力によって互いに引き付け合うため、スピーカカバー２の本体部３ｆへの取り付けを容易にかつ確実に行うことができる。
【００２０】
ここで、スピーカカバー２は、切欠部２ｄが形成された円筒部２ａｂが凹部３ｂに挿嵌された状態を第一装着状態とし（図１に図示）、切欠部２ｄが形成されていない円筒部２ａｃが凹部３ｂに挿嵌された状態を第二装着状態とする（図２に図示）。そして、スピーカカバー２が筐体３から取り外された状態を脱状態とする（図４に図示）。
【００２１】
そして、上述したように切欠部２ｄの高さｑは、筐体３に形成された凹部３ｂの深さｐよりも長いため、第一装着状態においては、切欠部２ｄの一部が外方に露出し円筒部２ａｂ側の内部と筐体３の外部とは連通されることとなる。また、内壁部２ｂの円錐先端部に形成された孔部２ｃによっても円筒部２ａｂ側の内部と筐体３の外部とは連通される。よって、第一装着状態では、スピーカ４からの音は、切欠部２ｄと孔部２ｃとを介して外部に出力されることになる。
【００２２】
また、第二装着状態においては、スピーカカバー２の円筒部２ａｃに切欠部２ｄがないため、円筒部２ａｃ側内部と筐体３の外部とは、スピーカカバー２の内壁部２ｂの円錐先端部に形成された孔部２ｃによってのみ連通されることとなる。よって、第二装着状態では、スピーカ４からの音は、孔部２ｃを介して外部に出力されることとなる。
【００２３】
次に、携帯電話機６の構成について説明する。図６のブロック図に示されるように、携帯電話機６は、表示装置６１と、内蔵アンテナ６２と、受話用スピーカ６３と、報知用スピーカ６４（音出力部）と、を有して構成される矩形状の第一筐体６ａと、操作部６５と、送話用マイク６６と、制御部６７（音響信号制御部）と、バッテリー６８と、通信部６９と、外部接続部７０と、を有して構成される同じく矩形状の第二筐体６ｂと、を有して構成されている。そして、両筐体６ａ、６ｂは、図示はしないが表示装置６１と操作部６５とが違いに対向して向き合うと共に、報知用スピーカ６４が露出する閉状態と、表示装置６１と操作部６５とが共に外部に露出する開状態とが図示しないヒンジ部を介して切り替わるように互いに折りたたみ可能に連結されている。
【００２４】
ここで、表示装置６１は、例えば液晶パネル等であり、現在の時刻や入力情報などの各種情報の表示を行うことができる。内蔵アンテナ６２は、従来から周知の内蔵アンテナであり、所定の周波数帯域における電話や文字メッセージ等の通信に係る情報の電磁波を送受信可能に構成される。受話用スピーカ６３は、電話に係る通信相手の音声に係る信号に応じた音を出力するスピーカである。報知用スピーカ６４は、着信音、着信メロディー、音声等に係る音響信号に応じた音を出力するスピーカである。操作部６５は、携帯電話機６の入力手段であり、例えばテンキー等の複数のボタンを有して構成され、ユーザーはこれら複数のボタンを操作することによって各種入力操作を行うことができる。送話用マイク６６は、電話におけるユーザーの音声等を入力するためのマイクである。バッテリー６８は、例えばリチウムイオン電池であり、前述した充電器１の電力出力部８を介して外部電源からの電力が給電されることで充電可能に構成されると共に、充電された電力を制御部６７などに給電可能に構成される。通信部６９は、内蔵アンテナ６２を介して行う電話や文字メッセージの送受信等の通信に関する制御を行う。外部接続部７０は、第２筐体６ｂの外部に露出して配置された、音響信号を出力するための接続端子である。
【００２５】
制御部６７（音響信号制御部）は、バッテリー６８により給電される電力をもとに、携帯電話機６の各種制御を行い、例えば、表示装置６１への各種情報の表示制御、受話用スピーカ６３や報知用スピーカ６４を介した音の報知制御、操作部６５を介した各種入力操作に基づく操作制御、送話用マイク６６で入力された音声等の入力制御等を行う。また、外部装置に音響信号を出力する外部出力制御も行うことができ、例えば、携帯電話機６と外部接続部７０に接続される電気的接続構造により接続された充電器１のアンプ９に対して音響信号を出力することができる。
【００２６】
図５は、充電器１の装着部５に携帯電話機６が装着された状態を示した図であり、この充電器１と携帯電話機６とによって音響装置１０が構成される。本図に示されるように、携帯電話機６は、前述した閉状態において、装着部５に装着可能とされ、この装着された状態において、装着部５に設けられた図示しない携帯電話機支持部により支持される。そして、この携帯電話機６が装着部５に挿入された状態において、電力出力部８とバッテリー６８とが、そして、アンプ９と制御部６７とが外部接続部７０と接続された電気的接続構造により互いに電気的に接続される。なお、このように携帯電話機６が装着部５に装着された状態においては、携帯電話機６の報知スピーカ６４は、図５に示すように筐体３の前方側を向いている。
【００２７】
以下、充電器１のスピーカ４により音が出力される際の報音形態を図７乃至図９を用いて具体的に説明する。携帯電話機６が装着部５に装着されると、充電器１のアンプ９と携帯電話機６の制御部６７とは電気的接続構造により互いに電気的に接続される。この状態において、音楽再生機能での音楽再生時や着信時報知時などにおいて制御部６７が外部出力制御を行って音響信号をアンプ９に対して出力すると、スピーカ４はこの音響信号に基づいて音を出力することができる。
【００２８】
そして、図７に示すスピーカカバー２の第一装着状態では、内蔵アンテナ６２を介した電話（音声通信）や文字メッセージ等の着信処理が通信部６９によりなされると、報知用スピーカ６４は、制御部６７の報知制御により着信音、着信メロディー、音声等に係る着信音の音響信号を出力すると共に、当該音響信号は、制御部６７の外部出力制御により、外部接続部７０、電気的接続構造、アンプ９を介してスピーカ４に出力される。スピーカ４及び報知用スピーカ６４は、それぞれ出力された音響信号に基づいて着信音、着信メロディー、音声等を出力する。
【００２９】
スピーカ４は、音の出力面に対向する位置にスピーカカバー２が第一装着状態で筐体３に対して取り付けられているため、スピーカ４から出力された音は、この第一装着状態におけるスピーカカバー２を介して放音される。すなわち、スピーカ４から出力される音は、スピーカカバー２に形成された孔部２ｃを介して筐体３の上側方向に出力されるとともに、切欠部２ｄを介して筐体３の水平方向に出力される。このようにスピーカ４から外部に出力される音は、スピーカカバー２を介して筐体３の上側方向（略鉛直方向）と筐体３の横側方向（略水平方向）とに出力されるため、ユーザーは、スピーカ４から多方向に絞られて出力される音を明瞭に聞くことができる。
【００３０】
ここで、上記のようにスピーカカバー２のスピーカ４から出力される音の報音形態の変更に寄与する部位、すなわちスピーカカバー２に形成された孔部２ｃ及び切欠部２ｄ並びに円筒部２ａｂと内壁部２ｂとで構成される部位を総じて報音形態変更部、とする。
【００３１】
また、第一装着状態におけるスピーカカバー２は、凹部３ｂ上に貼り付けられたマグネットシート３ｅの磁力により取り付けられているだけであるので、凹部３ｂに取り付けられた状態のまま回転させることができる（もちろん、一度取り外して、別の向きに取り付けることもできる。）つまり、スピーカカバー２の切欠部２ｄが対向する方向を、任意の方向に調整することができる。そして、切欠部２ｄの対向方向を、装着部５に装着された携帯電話機６の報知用スピーカ６４の対向方向（筐体３の前方向）と同一の方向に調整することもできる。このため、切欠部２ｄを介して出力された音と、報知用スピーカ６４により出力された音とが略同一方向となって、互いに強め合うことができ、このような状態においては、同方向にいるユーザーは、これらから出力される音をより明瞭に聞くことができることとなる。
【００３２】
一方、図８に示す第二装着状態におけるスピーカカバー２は、第一装着状態のときと同様に、内蔵アンテナ６２を介した電話や文字メッセージ等の着信処理が通信部６９によりなされると、制御部６７の報知制御により着信音や着信メロディー等の着信報知に係る音響信号に応じた音を報知用スピーカ６４に出力する。また、当該音響信号は、制御部６７の外部出力制御により、外部接続部７０と接続される電気的接続構造を介してアンプ９に接続され、その後スピーカ４に出力される。スピーカ４及び報知用スピーカ６４は、このように出力された音響信号に基づいて着信音、着信メロディー、音声等の音を出力する。
【００３３】
スピーカ４は、音の出力面に対向する位置にスピーカカバー２が第二装着状態で筐体３に対して取り付けられているため、スピーカ４から出力された音は、この第二装着状態におけるスピーカカバー２を介して報音される。すなわち、スピーカ４から出力される音は、孔部２ｃを介して筐体３の上側方向（略鉛直方向）にのみ出力される。
【００３４】
このように、第二装着状態におけるスピーカ４から出力される音の報音形態は、第一装着状態におけるそれと異なり、スピーカ４から出力される音は、スピーカカバー２を介して筐体３の上側方向にのみ出力されるため、ユーザーは、スピーカカバー２が第一装着状態にある場合とは異なる態様でスピーカ４から出力される音を明瞭に聞くことができる。
【００３５】
なお、携帯電話機６の報知用スピーカ６４と充電器１のスピーカ４とは、音の出力方向を異ならせて、各出力方向に応じて異なる音を出力させる。例えば、報知用スピーカ６４から高音領域の音を出力させ、スピーカ４からは中低音領域の音を出力させることにより、ユーザーはステレオ感のある音を楽しむことができる。
【００３６】
また、スピーカカバー２は筐体３に対して着脱可能に構成されているため、ユーザーはスピーカカバー２を脱状態とすることもでき、この状態にある場合にも、充電器１から出力される音を楽しむことができる。この場合の報音形態を示した図が図８である。
【００３７】
脱状態の場合においても、第一装着状態及び第二装着状態のときと同様、携帯電話機６は、内蔵アンテナ６２を介した電話や文字メッセージ等の着信処理が通信部６７によりなされると、制御部６７の報知制御により着信音や着信メロディー等に係る音響信号に応じた音を報知用スピーカ６４に出力する。そしてこの音響信号は、制御部６７の外部出力制御により、外部接続部７０と接続される電気的接続構造を介してアンプ９に接続され、その後スピーカ４に出力される。
【００３８】
そしてスピーカ４から出力される種々の方向に係る音は、スピーカカバー２が筐体３に取り付けられていないため、スピーカカバー４によって出力方向が絞られたり吸収されたりすることなく種々の方向に出力される。つまり、この脱状態においては、ユーザーは、より広がりのある音を楽しむことができる。
【００３９】
このように本実施形態における充電器１は、スピーカカバー４を第一装着状態と、第二装着状態とのいずれかの状態で筐体３に取り付けることができるとともにスピーカカバー２を脱状態とすることもでき、スピーカカバー４の取り付け状態を任意に変更することによりスピーカ４からの音の報音形態を変更することができる。そのため、ユーザーは複数のスピーカを用意することなく、複数の態様で出力される音を楽しむことができる。
【００４０】
また、スピーカカバー２は充電器１に対する取り付け部を複数有するため、例えば、落下や衝撃等により複数のうちの一つの取り付け部が破損や傷を受けた場合であっても、その他の取り付け部により充電器１に取り付け可能であり、一つの取り付け部しか有さない従来のスピーカカバーを備えたスピーカ装置に比べてより長く使用できるという副次的な効果も得ることができる。
【００４１】
さらに、充電器１の装着部５に携帯電話機６を装着することができ、この充電器１と携帯電話機６とにより構成される音響装置１０は、携帯電話機６に設けられた報知用スピーカ６４と充電器１のスピーカ４の両方から音を出力可能に構成されるため、スピーカカバー２の取り付け状態に応じてスピーカ４からの音の報音形態を変更させて、所定の方向に出力される音を強調させたり、あるいは、ステレオ感を向上させたり、広がりのある音を出力させたりすることができる。
【００４２】
なお、本実施形態は本発明の一例であり、これに限定されず、種々の変更が可能である。例えば、本実施形態におけるスピーカカバー２は、筐体３に貼り付けられたマグネットシート３ｅと、磁石で形成されたスピーカカバー２の一端部及び他端部との間の磁力により取り付けられて構成されていたが、本発明はこれに限ることなく、例えば、筐体３とスピーカカバー２の少なくとも一方が磁石を備え、その磁石の磁力によりスピーカカバー２が筐体３に取り付けられる構成であってもよい。要は、両者が磁力によって取り付けられる構成となっていればそれでよい。
【００４３】
また、本実施形態においては、スピーカカバー２とは、磁石の磁力によって充電器１に取り付け可能に構成されていたが、本発明における両者の取り付け構造はこれに限ることなく、例えば、充電器１とスピーカカバー２のいずれか一方に爪部を、いずれか他方に当該爪部と係合可能な受け部を設け、複数の態様で両者が互いに取り付け可能に構成されるものであってもよい。要は、複数の態様で両者が互いに取り付け可能に構成されると共に、それぞれの態様で、スピーカ２から出力される音を異なる方向に出力することのできる構成であればその他の構成であってもよい。
【００４４】
また、筐体３に形成された凹部３ｂやスピーカカバー２の形状も円筒状形状に限らないし、凹部３ｂの底面部３ｃに形成された筐体３の内部と連通す開口部３ｄの形状も円形に限ることなく、その他の形状であってもよい。
【００４５】
また、上述した実施形態では、スピーカカバー２の内壁部２ｂの中央部を円錐状に形成したため、第一装着状態におけるスピーカ４からスピーカカバー２に形成された孔部２ａまでの距離は、第二装着状態におけるスピーカ４からスピーカカバー２に形成された孔部２ａまでの距離よりも遠いこととなり、もって、第一着状態における孔部２ａから出力されるスピーカ４からの出力音の出力領域や音量は、第二着状態における孔部２ａから出力されるスピーカ４からの出力音の出力領域や音量よりも小さくなる。つまり、スピーカカバー２の装着状態いかんで、スピーカ４からスピーカカバー２に形成された孔部２ａまでの距離等も変更され、孔部２ａから出力されるスピーカ４からの出力音の出力領域や音量も変更されることとなる。
【００４６】
このことに鑑みれば、本実施形態においては、スピーカカバー２の内壁部２ｂの中央部を円錐状としてが、他の形状に変更すれば、スピーカ４からスピーカカバー２に形成された孔部２ａまでの距離等も変更され、孔部２ａから出力されるスピーカ４からの出力領域や出力音の音量も変更することができる。
【００４７】
また、本実施形態においては、携帯電話機の報知用スピーカ６４から出力される音と、充電器１のスピーカ４から出力される音を、同一の音響信号に係る音であるとしたが、本発明はこれに限られず、当該音響信号が、例えばステレオ左チャンネルの音響信号とステレオ右チャンネルの音響信号とに区分されて構成されている場合においては、携帯電話機６の制御部６７が、いずれか一方のチャンネルに係る音響信号に基づく音を報知用スピーカ６４に、そして、いずれか他方のチャンネルに係る音響信号に基づく音をスピーカ４に、出力するよう制御し、両スピーカ６４、６７は、それぞれ出力されたチャンネルに係る音響信号に基づいて音を出力するような構成としてもよい。このような構成にすることで、音響装置１０から出力される音のステレオ感をさらに向上させることができる。
【００４８】
また、本実施形態においては、携帯電子機器の一例として携帯電話機６を示したが、本発明はこれに限らず、携帯電話機以外の携帯電子機器、例えば、携帯型ＣＤプレーヤー、携帯型ＤＶＤプレーヤー、ＰＤＡ（パーソナルデジタルアシスタンス）、ノートパソコン等、音響を出力可能な携帯型の電子機器であればその他の機器であってもよい。
【図面の簡単な説明】
【００４９】
【図１】本発明の充電器１の一例を示す外観斜視図
【図２】本発明の充電器１の一例を示す外観斜視図
【図３】スピーカカバー２の詳細図
【図４】脱状態における充電器１の外観斜視図
【図５】携帯電話機６が装着された充電器１の外観斜視図
【図６】携帯電話機６の構成を示すブロック図
【図７】第一装着状態においてスピーカ４から音が出力される様子を示す概念図
【図８】第二装着状態においてスピーカ４から音が出力される様子を示す概念図
【図９】脱状態においてスピーカ４から音が出力される様子を示す概念図
【図１０】従来のスピーカ装置の一例を示す外観斜視図
【符号の説明】
【００５０】
１…充電器、２…スピーカカバー、３…筐体、４…スピーカ、５…装着部、６…携帯電話機、７…電力入力部、８…電力出力部、９…アンプ、１０…音響装置
【図１】
2008113062.tif 000003
【図２】
2008113062.tif 000004
【図３】
2008113062.tif 000005
【図４】
2008113062.tif 000006
【図５】
2008113062.tif 000007
【図６】
2008113062.tif 000008
【図７】
2008113062.tif 000009
【図８】
2008113062.tif 000010
【図９】
2008113062.tif 000011
【図１０】
2008113062.tif 000012